(57)【要約】      （修正有）【課題】電波の偏波方向に対する姿勢に左右されることなく、確実に電波を受信するアンテナ回路及び電子機器を提供する。【解決手段】同軸上に配置された一対のチップアンテナ２０７と、一端がチップアンテナ２０７に接続され他端が導電板２０６に接続された配線２０９と、配線２０９の途中に設けられた整合回路２０８と、を備えるアンテナ回路２０５において、整合回路２０８は、一対のチップアンテナ２０７間に生じる電流分布に基づいて第１の偏波方向の電波を受信するダイポール受信モードと、チップアンテナ２０７と導電板２０６間に生じる電流分布に基づいて第２の偏波方向の電波を受信するモノポール受信モードとを設定できるようにした。【選択図】図５Ｂ
2017092922.tif 000002
【特許請求の範囲】
【請求項１】
同軸上に配置された一対のエレメントと、
一端が前記エレメントに接続され他端が導電板に接続された配線と、
前記配線の途中に設けられた整合回路と、
を備え、
前記整合回路は、前記一対のエレメント間に生じる電流分布に基づいて第１の偏波方向の電波を受信するダイポール受信モードと、前記エレメントと前記導電板間に生じる電流分布に基づいて第２の偏波方向の電波を受信するモノポール受信モードとを設定することを特徴とするアンテナ回路。
【請求項２】
前記第１の偏波方向と前記第２の偏波方向は直交することを特徴とする請求項１に記載のアンテナ回路。
【請求項３】
前記整合回路は、インダクタを備え、該インダクタのインダクタンスを、所定の閾値より小さくすることにより前記ダイポール受信モードを設定し、前記所定の閾値より大きくすることにより前記モノポール受信モードを設定することを特徴とする請求項１または２に記載のアンテナ回路。
【請求項４】
前記エレメントは、チップアンテナであることを特徴とする請求項１〜３のいずれか一つに記載のアンテナ回路。
【請求項５】
同軸上に配置された一対のエレメントと、一端が前記エレメントに接続され他端が導電板に接続された配線と、前記配線の途中に設けられて、前記一対のエレメント間に生じる電流分布に基づいて第１の偏波方向の電波を受信するダイポール受信モードと、前記エレメントと前記導電板間に生じる電流分布に基づいて第２の偏波方向の電波を受信するモノポール受信モードとを設定する整合回路と、を備えるアンテナ回路と、
時刻を計時し、前記ダイポール受信モードおよび前記モノポール受信モードの一方が設定されている場合に受信した電波に含まれる信号に基づいて計時する時刻を調整する計時手段と、
前記計時手段が計時した時刻を表示する表示手段と、
を備えることを特徴とする電子機器。
【請求項６】
前記表示手段は、前記エレメントの軸と平行な面内において回転可能に設けられた指針であって、
前記整合回路は、前記指針の位置に応じて、前記ダイポール受信モードおよび前記モノポール受信モードのいずれかを設定することを特徴とする請求項５に記載の電子機器。
【請求項７】
前記表示手段と前記アンテナ回路との間にソーラーパネルを有し、
前記ソーラーパネルは、前記ダイポール受信モードにおける電界の放射端の位置と、前記モノポール受信モードにおける電界の放射端の位置とに、開口部を有することを特徴とする請求項４〜６のいずれか一つに記載の電子機器。
【発明の詳細な説明】
【技術分野】
【０００１】
この発明は、電波を受信するアンテナ回路および電子機器に関する。
【背景技術】
【０００２】
従来、電波修正時計などと称され、アンテナを介して受信した電波に含まれる情報に基づいて、時針・分針・秒針などの指示針が示す時刻を調整する電子機器があった。このような電子機器においては、電波の受信感度を確保するため、具体的には、従来、たとえば、ダイポールアンテナとモノポールアンテナとを同一平面内に設け、水平偏波および垂直偏波のように偏波方向が異なる電波を受信するようにした技術があった（たとえば、下記特許文献１を参照。）。
【０００３】
また、具体的には、従来、たとえば、アンテナ素子をダイポールアンテナとして動作させる状態と、当該アンテナ素子をモノポールアンテナとして動作させる状態と、をスイッチ回路によって切り替えるようにした技術（たとえば、下記特許文献２を参照。）や、所定角度をなすように配置された第１のアンテナ素子および第２のアンテナ素子で受信する電波の信号レベルに基づいて、いずれか一方のアンテナ素子を選択するようにした技術があった（たとえば、下記特許文献３を参照。）。また、具体的には、従来、たとえば、ソーラーパネルなどの導電性部材において、アンテナ素子と重なる位置に、電波が入射する開口を設けた技術があった（たとえば、下記特許文献４を参照。）。
【先行技術文献】
【特許文献】
【０００４】
【特許文献１】国際公開第２０１０／０８７１７０号
【特許文献２】特開２０１３−２３９７６５号公報
【特許文献３】特開２００３−８７０３７号公報
【特許文献４】特許第４９３７８１３号公報
【発明の概要】
【発明が解決しようとする課題】
【０００５】
しかしながら、電波修正時計のように特定の方向に偏波した電波を受信する、従来の技術による電子機器は、電波の偏波方向に対する電子機器の姿勢によっては電波を受信することが難しいという問題があった。また、上述した特許文献１に記載された従来の技術による電子機器は、ダイポールアンテナとモノポールアンテナとをそれぞれ設けるため、部品点数が多くなり、組み立てにかかる製造工数が多いという問題があった。
【０００６】
また、上述した特許文献２や特許文献３に記載された従来の技術による電子機器は、複数のアンテナ素子を設け、制御回路からの信号に応じてこれらのアンテナ素子を切り替えるだけであり、部品点数が多くなり、組み立てにかかる製造工数が多いという問題があった。また、腕時計などは受信する電波の偏波方向とアンテナの指向性との関係が頻繁に変化するため、上述した特許文献４に記載された従来の技術のように、アンテナの位置が固定されている電子機器では、確実に電波を受信することが難しいという問題があった。
【０００７】
この発明は、上述した従来技術による問題点を解消するため、電波の偏波方向に対する姿勢に左右されることなく、確実に電波を受信することができるアンテナ回路および電子機器を提供することを目的とする。
【課題を解決するための手段】
【０００８】
上述した課題を解決し、目的を達成するため、この発明にかかるアンテナ回路は、同軸上に配置された一対のエレメントと、一端がエレメントに接続され他端が導電板に接続された配線と、配線の途中に設けられた整合回路と、を備え、整合回路が、一対のエレメント間に生じる電流分布に基づいて第１の偏波方向の電波を受信するダイポール受信モードと、エレメントと導電板間に生じる電流分布に基づいて第２の偏波方向の電波を受信するモノポール受信モードとを設定することを特徴とする。
【０００９】
また、この発明にかかるアンテナ回路は、上記の発明において、第１の偏波方向と第２の偏波方向が直交することを特徴とする。
【００１０】
また、この発明にかかるアンテナ回路は、上記の発明において、整合回路が、インダクタを備え、インダクタのインダクタンスを、所定の閾値より小さくすることによりダイポール受信モードを設定し、所定の閾値より大きくすることによりモノポール受信モードを設定することを特徴とする。
【００１１】
また、この発明にかかるアンテナ回路は、上記の発明において、エレメントが、チップアンテナであることを特徴とする。
【００１２】
また、この発明にかかる電子機器は、同軸上に配置された一対のエレメントと、一端がエレメントに接続され他端が導電板に接続された配線と、配線の途中に設けられて、一対のエレメント間に生じる電流分布に基づいて第１の偏波方向の電波を受信するダイポール受信モードと、エレメントと導電板間に生じる電流分布に基づいて第２の偏波方向の電波を受信するモノポール受信モードとを設定する整合回路と、を備えるアンテナ回路と、時刻を計時し、ダイポール受信モードおよびモノポール受信モードの一方が設定されている場合に受信した電波に含まれる信号に基づいて計時する時刻を調整する計時手段と、計時手段が計時した時刻を表示する表示手段と、を備えることを特徴とする。
【００１３】
また、この発明にかかる電子機器は、上記の発明において、表示手段が、エレメントの軸と平行な面内において回転可能に設けられた指針であって、整合回路が、前記指針の位置に応じて、ダイポール受信モードおよびモノポール受信モードのいずれかを設定することを特徴とする。
【００１４】
また、この発明にかかる電子機器は、上記の発明において、表示手段とアンテナ回路との間にソーラーパネルを有し、ソーラーパネルが、ダイポール受信モードにおける電界の放射端の位置と、モノポール受信モードにおける電界の放射端の位置とに、開口部を有することを特徴とする。
【発明の効果】
【００１５】
この発明にかかるアンテナ回路および電子機器によれば、電波の偏波方向に対する姿勢に左右されることなく、確実に電波を受信することができるという効果を奏する。
【図面の簡単な説明】
【００１６】
【図１】この発明にかかる実施の形態の時計を正面から見た状態を示す説明図である。
【図２】この発明にかかる実施の形態の時計の断面を模式的に示す説明図である。
【図３】アンテナ回路の構成を示す説明図である。
【図４Ａ】アンテナ回路の挙動を模式的に示す説明図（その１）である。
【図４Ｂ】アンテナ回路の挙動を模式的に示す説明図（その２）である。
【図５Ａ】ダイポール受信モードにおけるアンテナ回路の指向性を示す説明図である。
【図５Ｂ】モノポール受信モードにおけるアンテナ回路の指向性を示す説明図である。
【図６Ａ】指針の位置と受信モードとの関係を示す説明図（その１）である。
【図６Ｂ】指針の位置と受信モードとの関係を示す説明図（その２）である。
【図６Ｃ】指針の位置と受信モードとの関係を示す説明図（その３）である。
【図６Ｄ】指針の位置と受信モードとの関係を示す説明図（その４）である。
【図７】ソーラーパネルとアンテナ回路との関係を示す説明図である。
【図８】時計の機能的構成を示すブロック図である。
【図９】時計の処理手順を示すフローチャートである。
【発明を実施するための形態】
【００１７】
以下に添付図面を参照して、この発明にかかるアンテナ回路および電子機器としての時計の好適な実施の形態を詳細に説明する。
【００１８】
図１は、この発明にかかる実施の形態の時計を正面から見た状態を示す説明図である。図１において、時計１００は、外装をなすケース（外装ケース）１０１を備えている。ケース１０１は、たとえば、金属材料を用いて形成され、両端が開口した略円筒形状をなす。ケース１０１の他端側（裏側）には、裏蓋部材（図２における符号２０１を参照）が設けられている。裏蓋部材は、たとえば、金属材料、あるいはプラスチックなどと称される高分子材料を用いて形成することができる。
【００１９】
ケース１０１は、両端が開口した略円筒形状に限るものではない。ケース１０１は、少なくとも軸心方向における一端側（表側）に、表示窓を実現する開口１０１ａを備えていればよく、軸心方向における他端側（裏側）が塞がれた有底円筒形状（いわゆるワンピース構造）であってもよい。
【００２０】
ケース１０１には、操作部１０２が設けられている。操作部１０２は、たとえば、竜頭によって実現することができる。ケース１０１に対する竜頭の位置は、ケース１０１から引っ張られることにより、複数段（たとえば、３段）に調整することができる。また、操作部１０２は、たとえば、ボタンなどによって実現してもよい。
【００２１】
ケース１０１の内側には、文字板１０３が設けられている。文字板１０３には、指針１０６と、当該指針１０６が指示する時刻を示すインデックス（指標）１０７が設けられている。指針１０６は、具体的には、たとえば、時針１０６ａ、分針１０６ｂ、秒針１０６ｃなどによって実現することができる。指針１０６は、たとえば、金属材料を用いて形成することができる。指針１０６は、金属材料に代えて、プラスチックなどと称される高分子材料を用いて形成されるものであってもよい。
【００２２】
インデックス１０７は、文字板１０３において、指針１０６の軸心を中心とする円周上に配置されている。インデックス１０７は、たとえば、文字、数字、記号などによって実現することができる。インデックス１０７は、文字、数字、記号に限るものではなく、たとえば、文字板１０３に設けられた突起によって実現してもよい。インデックス１０７は、たとえば、金属材料を用いて形成することができる。あるいは、インデックス１０７は、文字板１０３にプリントされたものであってもよいし、金属などの別部材を設けることによって実現されるものであってもよい。
【００２３】
時計１００において、指針１０６は、インデックス１０７が設けられた文字板１０３とともに時刻表示部（図８における符号８００を参照）を構成する。時刻表示部は、駆動機構によって指針１０６を回動（運針）させることによって時刻を表示する。時計１００においては、指針１０６として、時針１０６ａ、分針１０６ｂ、秒針１０６ｃに加えて、日板を備えていてもよい。
【００２４】
略円筒形状をなすケース１０１の一端側（表側）には、光透過性を有する風防１０９が設けられている。風防１０９は、ベゼル１１０によって周縁を支持されている。風防１０９は、たとえば、サファイヤガラス（サファイヤクリスタル）、無機ガラス（ミネラルガラス）、アクリルガラス（アクリルなどのプラスチック）などの材料を用いて形成することができる。ベゼル１１０は、風防１０９の直径と略同一の内径の環形状をなし、たとえば、金属材料を用いて形成することができる。
【００２５】
図２は、この発明にかかる実施の形態の時計１００の断面を模式的に示す説明図である。図２においては、時計１００を図１における手前側から奥側に向かって切断した断面を、時計の側方から見た状態を示している。図２において、文字板１０３の裏蓋部材２０１側には、ソーラーパネル２０２が設けられている。文字板１０３は外光を透過する材料を用いて形成されている。ソーラーパネル２０２は、文字板１０３を透過して入射される外光の光エネルギーを、光電効果（光起電力効果）により電力に変換する。
【００２６】
ケース１０１内において、ソーラーパネル２０２より裏蓋部材２０１側には、電池２０３と、モータ２０４と、が設けられている。電池２０３は、充電可能な二次電池であり、ソーラーパネル２０２によって発電された電力を蓄電する。具体的に、電池２０３は、たとえば、ボタン型のリチウムイオン電池を用いることができる。
【００２７】
モータ２０４は、指針１０６を回転駆動する輪列Ｇに連結されている。モータ２０４および輪列Ｇは、指針１０６を回転駆動する駆動機構（ムーブメント）を構成する。駆動機構において、指針１０６は、輪列Ｇを介してモータ２０４に連結されており、当該モータ２０４の駆動力を受けて回転する。時計１００は、指針１０６を回転駆動し、インデックス１０７に対する指針１０６の位置によって、現在の時刻などをアナログ表示する。
【００２８】
また、ケース１０１内において、ソーラーパネル２０２より裏蓋部材２０１側には、アンテナ回路２０５が設けられている。アンテナ回路２０５は、導電板２０６と、チップアンテナ２０７と、整合回路２０８と、を備えている。ソーラーパネル２０２は、導電板２０６の正面側に設けられている。導電板２０６には、モータ２０４など、時計１００が備える各部を駆動制御する各種の回路基板２１０が実装される。以降の説明においては、整合回路２０８はインダクタンス値を任意に変更可能な可変インダクタを有する構成として説明をする。
【００２９】
（アンテナ回路２０５の構成）
図３は、アンテナ回路２０５の構成を示す説明図である。説明を容易にするため図３においては、図２に示したアンテナ回路２０５、ソーラーパネル２０２（の裏蓋部材２０１側の面）、指針１０６を、図２における矢印Ａ方向から見た状態を示している。
【００３０】
図３において、アンテナ回路２０５は、導電板２０６と、２つのチップアンテナ（エレメント）２０７（２０７ａ、２０７ｂ）と、導電板２０６と各チップアンテナ２０７との間にそれぞれ設けられる２つの整合回路２０８と、を備えている。チップアンテナ２０７および整合回路２０８は、ソーラーパネル２０２における裏蓋部材２０１側に設けられている。
【００３１】
導電板２０６は、板状の部材であって、金属など導電性の良好な材料を用いて形成されている。チップアンテナ２０７は、セラミックなどの非導電性の基体の内部に、ＮＭＨＡ（Ｎｏｒｍａｌ  Ｍｏｄｅ  Ｈｅｌｉｃａｌ  Ａｎｔｅｎｎａ）やメアンダラインのアンテナ素子を備えており、同軸上に配置されている。チップアンテナ２０７を用いることにより、アンテナ回路２０５の設置に要するスペースを小さく抑えることができる。そして、これにより、時計１００の小型化を図ることができる。
【００３２】
導電板２０６は、全体が金属を用いて形成されているものに限らない。導電板２０６は、たとえば、金属製の板状部材に代えて、整合回路２０８などを搭載する回路基板の少なくとも一面側に金属材料を隙間なく、いわゆるベタ塗りパターンの金属材料製の層を設けることによって構成してもよい。
【００３３】
あるいは、導電板２０６は、たとえば、絶縁材料によって形成された基板上に金属などの導体によって形成された配線や各種の制御回路が設けられた層を複数積層することによって形成された多層基板によって実現してもよい。この場合、多層基板における層の積層方向に沿って当該多層基板を見た場合に、全層にわたって、配線や制御回路などを形成する金属材料が設けられていない部分に、金属材料製の層（パターン）を設ける。このような、配線や各種の制御回路などを搭載した多層基板によって導電板２０６を実現することにより、ケース１０１内の限られたスペースを有効利用することができる。
【００３４】
また、導電板２０６は、たとえば、外部磁場からモータなどのムーブメントを保護する耐磁板（図示を省略する）によって実現してもよく、電池を導電板２０６として代用してもよい。その他、時計１００が、液晶パネル（Ｌｉｑｕｉｄ  Ｃｒｙｓｔａｌ  Ｄｉｓｐｌａｙ：ＬＣＤ）を含む構成である場合は、当該液晶パネルにおける反射板を構成する金属部分によって、導電板２０６を実現してもよい。液晶パネルにおける反射板を構成する金属部分を導電板２０６として利用する場合は、配線の影響を考慮する必要がある。
【００３５】
導電板２０６と各チップアンテナ２０７とは、配線（回路基板の配線パターン）２０９によって電気的に接続されており、ダイポールアンテナ３０１を構成している。チップアンテナ２０７は、基体の一端側において配線２０９の先端に接続されており、ダイポールアンテナ３０１におけるエレメントを実現する。各チップアンテナ２０７において、基体の他端側は、電磁波の放射端として機能する。
【００３６】
導電板２０６と各チップアンテナ２０７との間には、それぞれ、整合回路２０８が設けられている。具体的に、整合回路２０８は、たとえば、各配線２０９（２０９ａ、２０９ｂ）にそれぞれ設けることができる。この実施の形態において、整合回路２０８は、インダクタンスの調整が可能な可変インダクタを用いることができる。
【００３７】
あるいは、可変インダクタに代えて、インダクタンスが異なる複数のインダクタと、複数のインダクタのうちのいずれかのインダクタンスを選択する選択回路と、によって構成されるインダクタンス可変機構を設けてもよい。このようなインダクタンス値の調整をするための切り替えは後述するインダクタンス調整回路８０４によっておこなわれる。以降では、可変インダクタ２０８ａ、２０８ｂを備える構成として説明をする。
【００３８】
（アンテナ回路２０５の挙動）
つぎに、アンテナ回路２０５の挙動について説明する。図４Ａおよび図４Ｂは、アンテナ回路２０５の挙動を模式的に示す説明図である。可変インダクタ２０８ａ、２０８ｂのインダクタンス値を適宜選択したとき、チップアンテナ２０７間に電圧をかけると、チップアンテナ２０７間に電流分布を生じアンテナ回路２０５は、ダイポールアンテナとして機能させることができる。このときのインダクタンス値の条件をダイポール受信モードと呼ぶ。このときの電気力線の方向は、図４Ａに示すように、チップアンテナ２０７の配列方向に平行な方向となる。
【００３９】
また、可変インダクタ２０８ａ、２０８ｂをダイポール受信モードのときのインダクタンス値よりも大きくし所定の閾値を超えると、電気力線の方向が、図４Ｂに示すように、チップアンテナ２０７の開放端と導電板２０６とを最短距離で結ぶ直線に平行な方向となる。この場合、各チップアンテナ２０７を、導電板２０６をグランドとし、各チップアンテナ２０７と導電板２０６におけるグランド位置との間に電流分布を示すモノポールアンテナして機能させることができる。このときのインダクタンス値の条件をモノポール受信モードと呼ぶ。
【００４０】
アンテナ回路２０５は、モノポールアンテナとして機能させる場合、振動方向および進行方向により特定される偏波方向がチップアンテナ２０７の配置方向（すなわち、ダイポールアンテナ３０１として機能させる場合の偏波方向）に交差する電波を受信する。具体的に、時計１００においては、ダイポールアンテナとして機能させる場合と、モノポールアンテナとして機能させる場合と、で受信特性を発揮する方向（指向性）が９０度変化する。
【００４１】
各受信モードにおける電界分布中に金属部品が存在すると、当該金属部品によって電界が吸収（低減）され、アンテナとして機能しなくなる（アンテナの機能が低下する）。このため、少なくとも、アンテナ回路２０５においてチップアンテナ２０７や導電板２０６が設置される平面に、金属部品を設けないことが好ましい。アンテナとしての機能は、アンテナ回路２０５においてチップアンテナ２０７や導電板２０６が設置される平面に、非金属部品が存在していても低下することはないため、アンテナとしての機能を確保するために、非金属部品の配置に制限が生じることはない。
【００４２】
（各受信モードにおけるアンテナ回路２０５の指向性）
つぎに、各受信モードにおけるアンテナ回路２０５の指向性について説明する。図５Ａおよび図５Ｂは、各受信モードにおけるアンテナ回路２０５の指向性を示す説明図である。図５Ａにおいては、第１の偏波方向の電波を受信するダイポール受信モードでのアンテナ回路２０５の指向性を可視化して示している。図５Ｂにおいては、第２の偏波方向の電波を受信するモノポール受信モードでのアンテナ回路２０５の指向性を可視化して示している。
【００４３】
ダイポール受信モードでのアンテナ回路２０５の指向性は、図５Ａに示すように、チップアンテナ２０７の軸に対して回転対称な、ドーナツ状の放射指向性(放射パターン)を示す。すなわち、ダイポール受信モードでのアンテナ回路２０５の指向性は、水平面（チップアンテナ２０７の軸を通りチップアンテナ２０７の軸方向に平行な面）においては、チップアンテナ２０７の軸まわりでもっとも弱い強度を示し、当該軸から離れるにしたがって一旦強度が強まってから弱くなる、「８」の字形状の放射パターンを示す。水平面においては、チップアンテナ２０７の開放端より外側の部分の受信特性は得られない。また、ダイポール受信モードでのアンテナ回路２０５の指向性は、垂直面（チップアンテナ２０７の軸方向に直交する面）においては、どの方向にも均等な最大の強度を示す。このとき、ダイポール受信モードで受信できる電波の偏波方向を第１の偏波方向とする。
【００４４】
一方、モノポール受信モードでのアンテナ回路２０５の指向性は、図５Ｂに示すように、チップアンテナ２０７の軸方向に直交し、配線２０９の長さ方向に平行な軸に対して回転対称な、ドーナツ状の放射指向性(放射パターン)を示す。すなわち、モノポール受信モードでのアンテナ回路２０５の指向性は、水平面においては、どの方向にも均等な最大の強度を示す。このときのモノポール受信モードで受信できる電波の偏波方向を第２の偏波方向とする。また、垂直面においては、配線２０９の両端位置（チップアンテナ２０７と配線２０９との接続位置近傍）でもっとも弱い強度を示し、当該軸から離れるにしたがって一旦強度が強まってから弱くなる、「８」の字形状の放射パターンを示す。垂直面においては、配線２０９の両端位置より外側の部分の受信特性は得られない。
【００４５】
このように、ダイポールアンテナとして機能する場合に受信特性を発揮する方向（指向性）は、モノポールアンテナとして機能させる場合に受信特性を発揮する方向（指向性）に対して、文字板１０３と平行な面内において９０度回転、つまり直交している。
【００４６】
図５Ａおよび図５Ｂに示すように、ダイポール受信モードが設定されている場合、およびモノポール受信モードが設定されている場合において、それぞれ、受信感度をもたない方向（以下、適宜「死角」という）が存在する。アンテナ回路２０５においては、受信モードを切り替えることによって受信する偏波方向を切り換えることができるため、ダイポール受信モードにおける死角をモノポール受信モードにおいて補い、モノポール受信モードにおける死角をダイポール受信モードにおいて補うことができる。
【００４７】
これにより、各受信モードにおける死角と、受信する電波の偏波方向との関係により、いずれか一方の受信モードでの受信感度が低い（あるいは受信感度をもたない）場合にも、ダイポール受信モードおよびモノポール受信モードのうち、受信感度の高い方の受信モードを選択して設定することによって、確実に電波を受信することができる。どちらの受信モードを選択して設定するかについては、具体的には、たとえば、アンテナ回路２０５を搭載する時計１００を身に付けている使用者の姿勢に応じて判断し、受信感度が良好な受信モードを設定することができる。
【００４８】
使用者の姿勢が固定されている、あるいは、時計１００が定位置に置かれている場合であっても、電波の受信状態は、電波を送信する衛星とアンテナ回路２０５との位置関係や、アンテナ回路２０５ないし時計１００の周囲の環境に応じて異なる。このため、どちらの受信モードを選択して設定するかについては、使用者の姿勢に加えて、アンテナ回路２０５と電波を送信する衛星との位置関係や、アンテナ回路２０５が屋内にあるか屋外にあるかなどに応じて判断し、受信感度が良好な受信モードを設定することができる。さらに、どちらの受信モードを選択して設定するかについては、電波受信時点（測定地点）におけるアンテナ回路２０５ないし時計１００の周囲にある建物など、アンテナ回路２０５ないし時計１００の周囲の環境に応じて判断し、受信感度が良好な受信モードを設定することができる。
【００４９】
時計１００においては、整合回路２０８のインダクタンス値を切り替えることにより、電波の受信モードを、第１の偏波方向の電波を受信するダイポール受信モードと、第２の偏波方向の電波を受信するモノポール受信モードと、に切り替えることができる。さらに、モノポール受信モードにおいては、各整合回路２０８のインダクタンス値をそれぞれ個別に切り替えることにより、いずれか一方のチップアンテナ２０７を用いて電波を受信するシングルモノポール受信モードと、２つのチップアンテナ２０７を用いて電波を受信するダブルモノポール受信モードと、を切り替えることができる。
【００５０】
時計１００においては、ダイポール受信モードにおいて受信する電波の周波数と、モノポール受信モードにおいて受信する電波の周波数とを、異ならせてもよい。この場合、時計１００においては、ダイポール受信モードにおいて受信する電波の周波数や、モノポール受信モードにおいて受信する電波の周波数を選択できるようにしてもよい。具体的には、たとえば、衛星電波、Ｂｌｕｅｔｏｏｔｈ（登録商標）通信に用いる電波、電波時計の長波、ラジオ放送に用いられる電波のうち、任意の２種類の電波を、ダイポール受信モードおよびモノポール受信モードにおいて受信する電波としてそれぞれ選択し、設定することができるようにしてもよい。各受信モードにおいて受信する電波の周波数は、衛星電波、Ｂｌｕｅｔｏｏｔｈ（登録商標）通信に用いる電波、電波時計の長波、および、ラジオ放送に用いられる電波に限るものではなく、これらの電波以外のその他各種の周波数の通信電波を選択し、設定することができるようにしてもよい。
【００５１】
（指針１０６の位置と受信モードとの関係）
指針１０６が金属製の場合、各受信モードにおける電界分布上に指針１０６が存在すると、受信感度に悪影響を与えるおそれがある。このような場合においては、以下のように、指針１０６の位置によって受信モードを切り替えることが好ましい。指針１０６がプラスチックなどの樹脂製（非金属材料製）である場合は、指針１０６の位置による受信感度への影響はほぼない。
【００５２】
以下、図６Ａ〜図６Ｄを用いて詳細に説明する。図６Ａ〜図６Ｄは、指針１０６の位置と受信モードとの関係を示す説明図である。図６Ａ〜図６Ｄにおいては、時計１００の正面側から見た場合の指針１０６とアンテナ回路２０５との位置関係を示している。時計１００は、チップアンテナ２０７の開放端と導電板２０６との間における指針１０６の有無に応じて、ダイポール受信モードおよびモノポール受信モードのいずれかを選択的に設定する。
【００５３】
具体的に、時計１００は、２つのチップアンテナ２０７の開放端の間に時針１０６ａおよび分針１０６ｂが存在せず、２つのチップアンテナ２０７の開放端の間が開放されている場合、ダイポール受信モードを設定する。より具体的に、時計１００は、図６Ａに示すように、時計１００を正面から見た状態において、時針１０６ａおよび分針１０６ｂが符号６１０で示す範囲内に存在し、時針１０６ａおよび分針１０６ｂのいずれもチップアンテナ２０７に重複しない場合に、ダイポール受信モードを設定する。
【００５４】
また、具体的に、時計１００は、２つのチップアンテナ２０７の開放端の間に、少なくとも一つの指針１０６が存在する場合、モノポール受信モードを設定する。より具体的には、図６Ｂ、図６Ｃおよび図６Ｄに示すように、時計１００を正面から見た状態において、いずれかの指針１０６がチップアンテナ２０７に重複し、２つのチップアンテナ２０７の開放端の間が開放されていない場合に、モノポール受信モードを設定する。
【００５５】
時計１００において、２つのチップアンテナ２０７の開放端の間が開放されていない状況は、さらに、２つのチップアンテナ２０７のそれぞれに指針１０６が重複する場合と、いずれか一方のチップアンテナ２０７に指針１０６が重複する場合と、に分類できる。具体的に、時計１００は、図６Ｂに示すように、時針１０６ａおよび分針１０６ｂがともに符号６２０で示す範囲内に存在し、２つのチップアンテナ２０７のそれぞれに指針１０６が重複する場合、２つのチップアンテナ２０７の開放端と導電板２０６との間に電圧をかけ、それぞれがモノポールアンテナとして機能させるダブルモノポール受信モードを設定する。
【００５６】
また、具体的に、時計１００は、図６Ｃに示すように、時針１０６ａおよび分針１０６ｂが符号６３０で示す範囲内に存在する場合、あるいは、図６Ｄに示すように、時針１０６ａおよび分針１０６ｂが符号６４０で示す範囲内に存在する場合、いずれか一方のチップアンテナ２０７と導電板２０６との間に電圧をかけて１つのモノポールアンテナとして機能させるシングルモノポール受信モードを設定するようにしてもよい。シングルモノポール受信モードにおいては、少なくとも一方のチップアンテナ２０７に指針１０６が重複するものの、開放端が開放され導電板２０６との間に指針１０６が存在していないチップアンテナ２０７と導電板２０６との間に電圧をかけ、１つのモノポールアンテナとして機能させることができる。
【００５７】
（ソーラーパネル２０２とアンテナ回路２０５との関係）
つぎに、ソーラーパネル２０２とアンテナ回路２０５との関係について説明する。図７は、ソーラーパネル２０２とアンテナ回路２０５との関係を示す説明図である。図７においては、ソーラーパネル２０２およびアンテナ回路２０５を、時計１００の正面側から見た状態を示している。
【００５８】
図７に示すように、ソーラーパネル２０２には、複数の開口部７０１が設けられている。開口部７０１は、それぞれ、ダイポールアンテナとして機能する場合の放射端およびモノポールアンテナとして機能する場合の放射端に対応する位置に設けられている。具体的に、開口部７０１は、各チップアンテナ２０７の放射端と、モノポールアンテナとして機能する場合の各チップアンテナ２０７に対応するグランド位置と、に設けられている。
【００５９】
ソーラーパネル２０２において、ダイポールアンテナとして機能する場合の放射端およびモノポールアンテナとして機能する場合のグランド位置に対応する位置にのみ開口部７０１を設けることにより、ダイポール受信モードおよびモノポール受信モードのときの受信性能の劣化を最小限に抑え、かつ、ソーラーパネル２０２による発電量を確保することができる。開口部７０１の形状は、たとえば、各チップアンテナ２０７の放射端やモノポールアンテナとして機能する場合の各チップアンテナ２０７に対応するグランド位置を含む円形とすることができる。あるいは、開口部７０１の形状は、円形に代えて、楕円形、四角形や六角形などの多角形であってもよい。
【００６０】
たとえば、プラスチックなどと称される樹脂材料のように、電波の受信感度に影響を与えない材料によって文字板１０３が形成されている場合は、当該文字板１０８に、開口部７０１と同様の開口部（図示を省略する）を設ける必要性は低い（あるいは不要となる）。一方、金属材料製の文字板１０３のように電波の受信感度に影響を与える材料によって形成された文字板１０３を用いる場合、当該文字板１０３に、ソーラーパネル２０２に設けた開口部７０１と同様の開口部（図示を省略する）を設けることが好ましい。
【００６１】
一方で、文字板１０３に開口部が設けられていると、審美性や美観に劣る。このため、文字板１０３に開口部７０１と同様の開口部を設ける場合は、当該開口部を、電波透過性の良好な材料を用いて形成した部材によって閉塞し、目立たないようにすることが好ましい。この場合、文字板１０３に設けられた開口部を閉塞する部材は、金属文字板と同色、同様の質感や表面性を有するような材料によって形成され、あるいは加工が施されていることが好ましい。これにより、金属製の文字板１０３を設けることによって受信感度を低下させることなく、文字板１０３の審美性や美観を確保することができる。
【００６２】
（時計１００の機能的構成）
つぎに、時計１００の機能的構成について説明する。図８は、時計１００の機能的構成を示すブロック図である。図８において、チップアンテナ２０７により受信された電波は、インダクタ２０８を経由して制御回路８０１に入力される。制御回路８０１は、時計１００全体の動作を制御し、内部時刻を計時する機能を有している。
【００６３】
制御回路８０１は、たとえば、マイクロコンピュータによって実現することができる。制御回路８０１は、受信した電波（標準電波など）を増幅し、フィルタ回路、整流回路、検波回路などの処理により復調し、受信した電波に含まれる時刻情報に基づいて、適宜、内部時刻を修正する。これにより、時計１００は、常に正確な時刻を表示することができる。
【００６４】
制御回路８０１は、操作部１０２から、当該操作部１０２に対する操作に応じた信号が入力される。制御回路８０１は、操作部１０２に対する操作に応じた信号が入力された場合に、入力された信号に応じて、時刻調整処理を実行する。時刻調整処理については後述する。
【００６５】
また、制御回路８０１は、モータ２０４に対して、内部時刻に基づく駆動信号を出力する。モータ２０４は、制御回路８０１から出力された駆動信号に応じて指針１０６を駆動する。時計１００において、モータ２０４は、１つに限るものではなく、独立して動作させたい指針１０６の数に応じて複数のモータを備えていてもよい。指針１０６や文字板１０３によって構成される時刻表示部８００は、制御回路８０１によって計時された時刻を表示する。
【００６６】
ソーラーパネル２０２は、スイッチ８０２を介して電池２０３に接続されている。スイッチ８０２は、制御回路８０１によって駆動制御されて、ソーラーパネル２０２と電池２０３とを導通または切断させる。スイッチ８０２がソーラーパネル２０２と電池２０３とを導通させている状態において、ソーラーパネル２０２により発電された電力は、電池２０３に蓄電される。電池２０３は、制御回路８０１やインダクタンス調整回路８０４に電力を供給する。
【００６７】
制御回路８０１は、後述する時刻調整処理に際して、指針１０６の位置に応じて、インダクタンス調整回路８０４に調整信号を出力する。インダクタンス調整回路８０４は、制御回路８０１から出力された調整信号に基づいて可変インダクタ２０８ａ、２０８ｂにおけるインダクタンス値を調整し、上記のように、ダイポール受信モードおよびモノポール受信モード（ダブルモノポール受信モードまたはシングルモノポール受信モード）を選択的に設定する。
【００６８】
具体的に、インダクタンス調整回路８０４は、可変インダクタ２０８ａ、２０８ｂのインダクタンス値を、ダイポール受信モードの設定時におけるインダクタ２０８のインダクタンスよりも大きくなるように調整することによって、モノポール受信モードを設定する。さらに、インダクタンス調整回路８０４は、シングルモノポール受信モードを設定する場合、いずれか一方の可変インダクタ２０８ａ、２０８ｂのインダクタンス値を、ダイポール受信モードの設定時における可変インダクタ２０８ａ、２０８ｂのインダクタンス値よりも大きくなるように調整し、他方の可変インダクタ２０８ａ、２０８ｂからの信号を無効にするように調整する。
【００６９】
（時計１００の処理手順）
図９は、時計１００の処理手順を示すフローチャートである。図９のフローチャートに示した処理は、操作部１０２に対する所定の操作がおこなわれた場合、あるいは、あらかじめ定められた所定のタイミングで開始される。具体的に、所定のタイミングは、たとえば、時計１００が計時する現在時刻が、あらかじめ定められた時刻調整の実行時刻になった場合や、前回の時刻処理をおこなってからの所定時間が経過した場合とすることができる。
【００７０】
図９のフローチャートにおいて、まず、時針１０６ａおよび分針１０６ｂが特定範囲内に存在するか否かを判断する（ステップＳ９０１）。ステップＳ９０１においては、時針１０６ａおよび分針１０６ｂが範囲６１０内に存在するか否かを判断する。時針１０６ａおよび分針１０６ｂの少なくとも一方が範囲６１０外に存在する場合（ステップＳ９０１：Ｎｏ）、ステップＳ９０８へ移行する。
【００７１】
ステップＳ９０１において、時針１０６ａおよび分針１０６ｂが特定範囲内に存在する場合（ステップＳ９０１：Ｙｅｓ）、ダイポール受信モードを設定する（ステップＳ９０２）。ステップＳ９０２においては、インダクタ２０８のインダクタンスを閾値よりも小さい値に設定することによってダイポール受信モードを設定する。指針１０６が金属製ではなく、電波透過性を有する材料で構成されている場合は、このステップＳ９０１を省略することができる。
【００７２】
つぎに、ダイポール受信モードにおける受信感度が所定感度よりも大きいか否かを判断する（ステップＳ９０３）。ステップＳ９０３においては、たとえば、ダイポール受信モードにおいて受信した電波からノイズ成分を除去して得られる信号から、時刻情報を抽出できるか否かに基づいて、ダイポール受信モードにおける受信感度が所定感度よりも大きいか否かを判断することができる。ステップＳ９０３において、ダイポール受信モードにおける受信感度が所定感度以下である場合（ステップＳ９０３：Ｎｏ）、ステップＳ９０８へ移行する。
【００７３】
一方、ステップＳ９０３において、ダイポール受信モードにおける受信感度が所定感度よりも大きい場合（ステップＳ９０３：Ｙｅｓ）、時刻調整処理を実行する（ステップＳ９０４）。ステップＳ９０４においては、たとえば、チップアンテナ２０７を介して受信した電波（標準電波に含まれるタイムコード）を解析して時刻に変換し、変換した時刻を表示することにより時刻調整処理を実行することができる。時刻調整処理に際しては、電波を複数回受信し、複数回受信した電波に基づく解析結果が一致する場合に、当該解析結果に基づいて変換した時刻を表示してもよい。
【００７４】
受信する電波は、標準電波に限るものではない。時計１００は、たとえば、ＧＰＳ衛星から送信される時刻情報を含むＧＰＳ電波、国内の携帯電話各社が基地局から送信する時刻情報（時分秒、日付曜日）が重畳された制御信号、ＴＯＴ（Ｔｉｍｅ  Ｏｆｆｓｅｔ  Ｔａｂｌｅ）として現在時刻（時分秒）と日付曜日情報が重畳されたテレビ放送（データ放送）の放送波、時刻情報が重畳されたＦＭラジオの文字多重データなど、各種の電波を受信することができる。
【００７５】
つぎに、ステップＳ９０４において実行した時刻調整処理が完了したか否かを判断する（ステップＳ９０５）。ステップＳ９０５においては、たとえば１回または複数回電波を受信しておこなう一連の時刻調整処理において、解析が正しくおこなわれ、当該解析結果に基づいて時刻の変換がおこなわれたか否かを判断する。時刻調整処理が完了した場合（ステップＳ９０５：Ｙｅｓ）、一連の処理を終了する。
【００７６】
一方、時刻調整処理が完了していない場合（ステップＳ９０５：Ｎｏ）、時刻調整処理を連続しておこなった回数が、あらかじめ設定された所定回数に達したか否かを判断する（ステップＳ９０６）。所定回数は、時刻調整処理の実行を繰り返す回数であって、時計１００の設計者などによって任意に設定することができ、たとえば、２回とすることができる。
【００７７】
ステップＳ９０６において、時刻調整処理が完了していないために再度おこなった時刻調整処理の回数が所定回数に達していない場合（ステップＳ９０６：Ｎｏ）、ステップＳ９０４に戻り、時刻調整処理を再度実行する。一方、ステップＳ９０６において、時刻調整処理が完了していないために再度おこなった時刻調整処理の回数が所定回数に達した場合（ステップＳ９０６：Ｙｅｓ）、エラー処理をおこなって（ステップＳ９０７）、一連の処理を終了する。ステップＳ９０７においては、たとえば、時刻調整処理が正しく完了しなかったことを記憶する処理をおこなう。
【００７８】
ステップＳ９０８においては、モノポール受信モードを設定する（ステップＳ９０８）。具体的に、ステップＳ９０８においては、可変インダクタ２０８ａ、２０８ｂのインダクタンス値を閾値よりも大きい値に設定することによってモノポール受信モードを設定する。また、ステップＳ９０８においては、時針１０６ａおよび分針１０６ｂの位置に基づいて、いずれか一方のチップアンテナ２０７と導電板２０６との間に電圧をかけて１つのモノポールアンテナとして機能させるシングルモノポール受信モードを設定してもよい。所定のモノポール受信モードに設定し終えた後、上述したステップＳ９０４に進み、以下同様のステップＳ９０５〜ステップＳ９０７の処理をおこなう。
【００７９】
この実施の形態の時計１００のように、モノポール受信モードと比較して、インダクタ２０８のインダクタンスが小さいダイポール受信モードを先に設定し、ダイポール受信モードでの受信感度が所定感度を超えている場合はダイポール受信モードでの時刻調整処理を実行することにより、先にモノポール受信モードを設定して時刻調整処理をおこなう場合よりも電力の消費を抑えることができる。
【００８０】
上述した実施の形態においては、指針１０６の位置に応じてダイポール受信モードまたはモノポール受信モードを設定し、時刻調整処理を実行するようにしたが、各受信モードの設定方法はこれに限るものではない。たとえば、ダイポール受信モードでの受信感度とモノポール受信モードでの受信感度との両方の受信モードでの受信感度を検出し、いずれの受信モードにおける受信感度の方が良好であるかを判断し、受信感度が良好な受信モードを設定し、時刻調整処理を実行するようにしてもよい。
【００８１】
あるいは、まず、ダイポール受信モードおよびモノポール受信モードのいずれか一方の受信モードを設定し、先に設定した一方の受信モードでの受信感度が所定の感度閾値を超えているか否かを判断してもよい。この場合、先に設定した一方の受信モードでの受信感度が所定の感度閾値を超えている場合は、先に設定した受信モードでの時刻調整処理を実行し、超えていない場合は、他方の受信モードを設定し、当該他方の受信モードでの時刻調整処理を実行する。
【００８２】
また、上述した実施の形態においては、ステップＳ９０６でＮｏ判定となった場合に、ステップＳ９０４に戻り、同じ受信モードで再度時刻調整処理を行うとして説明を行ったが、受信感度（受信環境）が経時変化する可能性があることを考慮して、ステップＳ９０２に戻り、改めて他方の受信モードでの受信感度を判断し直すようにしてもよい。
【００８３】
以上説明したように、この発明にかかる実施の形態のアンテナ回路２０５は、同軸上に配置された一対のチップアンテナ（エレメント）２０７と、一端がアンテナ２０７に接続され他端が導電板２０６に接続された配線２０９と、配線２０９の途中に設けられた整合回路２０８と、を備え、整合回路２０８は、一対のチップアンテナ２０７間に生じる電流分布に基づいて第１の偏波方向の電波を受信するダイポール受信モードと、チップアンテナ２０７と導電板２０６間に生じる電流分布に基づいて第２の偏波方向の電波を受信するモノポール受信モードとを設定することを特徴としている。
【００８４】
この実施の形態のアンテナ回路２０５によれば、受信感度に応じて、受信する電波の偏波方向が異なるダイポール受信モードおよびモノポール受信モードの一方を選択的に設定することにより、受信感度の良好な受信モードを設定することができる。これにより、電波の偏波方向に対するアンテナ回路２０５の姿勢に左右されることなく、確実に電波を受信することができる。
【００８５】
また、この実施の形態のアンテナ回路２０５によれば、ダイポールアンテナ３０１により受信する電波の周波数と、モノポールアンテナにより受信する電波の周波数とを異ならせることにより、適宜受信モードを切り替えて、受信する電波の偏波方向のみならず、種類が異なる複数の電波を受信することができる。これにより、汎用性の高いアンテナ回路２０５を実現することができる。
【００８６】
また、この実施の形態のアンテナ回路２０５は、第１の偏波方向と第２の偏波方向が直交することを特徴としている。すなわち、この実施の形態のアンテナ回路２０５は、ダイポール受信モードが設定されている場合に良好に受信できる電波の方向である第１の偏波方向と、モノポール受信モードが設定されている場合に良好に受信できる電波の方向である第２の偏波方向と、が直交している。
【００８７】
この実施の形態のアンテナ回路２０５によれば、一方の受信モードにおいて受信感度が低くなる範囲の電波を他方の受信モードで確実に受信することができ、受信できる電波の方向を広く確保することができる。これにより、各受信モードでの受信感度に応じて、ダイポール受信モードを設定することによりモノポール受信モードでは受信しにくい（あるいは死角になる）第１の偏波方向の電波を確実に受信することができ、モノポール受信モードを設定することによりダイポール受信モードでは受信しにくい（あるいは死角になる）第２の偏波方向の電波を確実に受信することができる。そして、これにより、電波の偏波方向に対するアンテナ回路２０５の姿勢に左右されることなく、確実に電波を受信することができる。
【００８８】
また、この実施の形態のアンテナ回路２０５は、整合回路２０８が、インダクタを備え、該インダクタのインダクタンスを、所定の閾値より小さくすることによりダイポール受信モードを設定し、所定の閾値より大きくすることによりモノポール受信モードを設定することを特徴としている。
【００８９】
この実施の形態のアンテナ回路２０５によれば、整合回路２０８であるインダクタのインダクタンスを調整することによりダイポールアンテナとして機能するアンテナ回路２０５を、モノポールアンテナとして機能させることができる。これにより、それぞれ独立したダイポールアンテナとモノポールアンテナとを設ける場合と比較して、部品点数を減らし、アンテナ回路２０５および電子機器である時計１００の組立工数を減らすことができる。そして、これにより、電波の偏波方向に対する電子機器の姿勢や、受信感度に左右されることのないアンテナ回路２０５の製造にかかる負担を低減し、製造コストを抑えることができる。
【００９０】
また、この実施の形態のアンテナ回路２０５は、エレメントが、チップアンテナ２０７であることを特徴としている。この実施の形態の時計１００によれば、アンテナ回路２０５の実装に要するスペースを小さくすることができる。これにより、アンテナ回路２０５および時計１００の小型化を図ることができる。
【００９１】
また、この実施の形態の時計１００は、上記のアンテナ回路２０５と、時刻を計時し、ダイポール受信モードおよびモノポール受信モードの一方が設定されている場合に受信した電波に含まれる信号に基づいて計時する時刻を調整する計時手段としてのムーブメントと、ムーブメントが計時した時刻を表示する表示手段としての指針１０６と、を備えたことを特徴としている。
【００９２】
この実施の形態の時計１００によれば、電波の偏波方向に対する電子機器である時計１００の姿勢や、受信感度に左右されることなく、常に、確実に電波を受信することができるので、当該電波に基づいて時刻を計時することにより、常に正確な時刻を表示することができる。
【００９３】
また、この実施の形態の時計１００は、チップアンテナ２０７の軸と平行な面内において回転可能に設けられた指針１０６によって表示手段を実現し、整合回路２０８が、指針１０６の位置に応じて、ダイポール受信モードおよびモノポール受信モードのいずれかを設定することを特徴としている。
【００９４】
この実施の形態の時計１００によれば、受信する電波の偏波方向が異なるダイポール受信モードおよびモノポール受信モードの一方を選択的に設定することができるので、指針の位置にかかわらず、常に電波を受信することができる。これにより、時刻を表示する指針を、電波を受信するために退避させることなく時刻を調整することができる。
【００９５】
腕時計などのように、限られた電力（電池）により動作する小型の電子機器においては、電波を受信するごとに指針を退避させることは、直接的な目的以外の動作に電力が消費されることとなり、好ましくない。これに対し、この実施の形態の時計１００によれば、電波を受信するために指針を退避させることなく時刻を調整することができるので、不要な電力消費を抑えることができる。
【００９６】
また、この実施の形態の時計１００は、指針１０６（指針１０６の回動面）とアンテナ回路２０５との間にソーラーパネル２０２を有し、ソーラーパネル２０２は、ダイポール受信モードにおける電界の放射端の位置と、モノポール受信モードにおける電界の放射端の位置とに、開口部７０１を有することを特徴としている。
【００９７】
この実施の形態の時計１００によれば、ダイポール受信モードにおける電界の放射および入射と、モノポール受信モードにおける電界の放射および入射とを、ソーラーパネルの開口部７０１を介しておこなうことができる。このように、電波の受信にかかる位置のみに開口部７０１を設けることにより、電波の受信機能の劣化を最小限に抑えてアンテナ回路２０５よりも表示窓側にソーラーパネル２０２を設けることができ、ソーラーパネル２０２による発電量を確保することができる。
【産業上の利用可能性】
【００９８】
以上のように、この発明にかかるアンテナ回路および電子機器は、電波を受信するアンテナ回路および電子機器に有用であり、特に、腕時計やウェアラブル機器などのように環境における姿勢の変化が著しいアンテナ回路および電子機器に適している。
【符号の説明】
【００９９】
１００  時計
１０１  ケース
１０１ａ  開口
１０３  文字板
１０６  指針
１０９  風防
２０２  ソーラーパネル
２０５  アンテナ回路
２０６  導電板
２０７  チップアンテナ
２０８ａ、２０８ｂ  可変インダクタ
２０９  配線
７０１  開口部
８０１  制御回路
８０４  インダクタンス調整回路
【図１】
2017092922.tif 000003
【図２】
2017092922.tif 000004
【図３】
2017092922.tif 000005
【図４Ａ】
2017092922.tif 000006
【図４Ｂ】
2017092922.tif 000007
【図５Ａ】
2017092922.tif 000008
【図５Ｂ】
2017092922.tif 000009
【図６Ａ】
2017092922.tif 000010
【図６Ｂ】
2017092922.tif 000011
【図６Ｃ】
2017092922.tif 000012
【図６Ｄ】
2017092922.tif 000013
【図７】
2017092922.tif 000014
【図８】
2017092922.tif 000015
【図９】
2017092922.tif 000016